(57)【特許請求の範囲】
【請求項１】
テレビジョンチューナが搭載され、前記テレビジョンチューナの内部回路に接続された端子に接続される所定の回路が構成されており、列状に穿設されて前記端子を挿入する透孔と、前記透孔の周囲に形成され、前記端子に接続される導体ランドとを有し、前記導体ランドのうち、搭載される特定のテレビジョンチューナの前記端子に接続される第一の導体ランドを前記所定の回路に接続すると共に、前記特定のテレビジョンチューナの前記端子に接続されない第二の導体ランドに接続したことを特徴とする映像機器のチューナ取付用基板。
【請求項２】
テレビジョンチューナが搭載され、前記テレビジョンチューナの内部回路に接続された端子に接続される所定の回路が構成されており、列状に穿設されて前記端子を挿入する透孔と、前記透孔の周囲に形成され、前記端子に接続される導体ランドとを有し、前記導体ランドのうち、搭載される特定のテレビジョンチューナの前記端子に接続される第一の導体ランドを前記所定の回路に接続すると共に、前記特定のテレビジョンチューナの前記端子に接続される第三の導体ランドに第一の開閉手段を介して接続し、前記第三の導体ランドを第二の開閉手段を介して前記所定の回路に接続し、前記第一の開閉手段と前記第二の開閉手段との開閉動作を互いに逆にしたことを特徴とする映像機器のチューナ取付用基板。
【請求項３】
前記第一の導体ランドに対応する前記透孔を少なくとも前記列状の端側に連続して複数個位置させたことを特徴とする請求項１または２に記載の映像機器のチューナ取付用基板。
【発明の詳細な説明】
【０００１】
【発明の属する技術分野】
この発明は、テレビ受信機や録画再生装置等の映像機器に使用するテレビジョンチューナを取り付けるための映像機器のチューナ取付用基板に関する。
【０００２】
【従来の技術】
従来の映像機器においては、使用するテレビジョンチューナが特定されており、そのテレビジョンチューナを搭載するためのマザー基板が準備される。図４に示すように、使用されるテレビジョンチューナ（以下、単にチューナという）３０は直方体の形状をなす金属筺体内に回路が収納された本体３０ａと、本体３０ａの一側面から突出して取り付けられた複数の端子３０ｂとを有している。
【０００３】
各端子３０ｂの取付位置は現在では標準化されており、所定の間隔の位置に取り付けられるようにされている。また、端子３０ｂが取り付けられる位置は二十数箇所あり、その中で個々のチューナに必要な数だけの端子が取り付けられる。各端子３０ｂは本体３０ａの内部に構成された個々の回路に接続されている。
マザー基板３１はチューナ３０の各端子３０ｂに対応する列状の透孔３１ａを有し、チューナ３０はマザー基板３１に搭載され、各端子３０ｂが透孔３１ａに挿入される。
【０００４】
マザー基板３１には、図４に示すようにチューナ３０の各端子３０ｂが挿入される透孔３１ａの周囲に導体ランド３１ｂが形成されている。さらに、各導体ランド３１ｂはマザー基板３１の他の位置に構成された所定の回路（図示せず）に配線導体３１ｃによって接続されている。
そして、透孔３１ａに挿入されたチューナ３０の各端子３０ｂが導体ランド３１ｂに半田接続される。
【０００５】
【発明が解決しようとする課題】
以上のように、マザー基板には使用する特定のチューナの端子に対応した透孔が形成され、配線も施されているので、端子が所定の間隔の位置に取り付けられていてもマザー基板に対応する透孔が設けられていないと他のチューナの端子を接続できず、また、端子に対応する透孔が設けられていても配列順序が異なったりすると端子がマザー基板上の所定の回路に接続されないという問題があった。従って、他のチューナを使用する場合にはマザー基板を再設計しなければならず、設計工数が必要とされた。さらに、マザー基板の種類が増えることで管理工数も必要とされた。
【０００６】
そこで、本発明では、一つのマザー基板を端子配列の異なる複数のチューナに共用できるようにすることを目的とする。
【０００７】
【課題を解決するための手段】
上記の課題を解決する手段として、本発明では、テレビジョンチューナが搭載され、前記テレビジョンチューナの内部回路に接続された端子に接続される所定の回路が構成されており、列状に穿設されて前記端子を挿入する透孔と、前記透孔の周囲に形成され、前記端子に接続される導体ランドとを有し、前記導体ランドのうち、搭載される特定のテレビジョンチューナの前記端子に接続される第一の導体ランドを前記所定の回路に接続すると共に、前記特定のテレビジョンチューナの前記端子に接続されない第二の導体ランドに接続した。
【０００８】
また、テレビジョンチューナが搭載され、前記テレビジョンチューナの内部回路に接続された端子に接続される所定の回路が構成されており、列状に穿設されて前記端子を挿入する透孔と、前記透孔の周囲に形成され、前記端子に接続される導体ランドとを有し、前記導体ランドのうち、搭載される特定のテレビジョンチューナの前記端子に接続される第一の導体ランドを前記所定の回路に接続すると共に、前記特定のテレビジョンチューナの前記端子に接続される第三の導体ランドに第一の開閉手段を介して接続し、前記第三の導体ランドを第二の開閉手段を介して前記所定の回路に接続し、前記第一の開閉手段と前記第二の開閉手段との開閉動作を互いに逆にした。
【０００９】
また、前記第一の導体ランドに対応する前記透孔を少なくとも前記列状の端側に連続して複数個位置させた。
【００１０】
【発明の実施の形態】
図１は本発明の映像機器に使用するチューナ取付用用基板（以下マザー基板という）１と、マザー基板１に搭載される特定のテレビジョンチューナ（以下特定チューナという）１０と、マザー基板１に搭載される他のテレビジョンチューナ（以下他のチューナという）１０とを示す。特定チューナ１０は直方体の形状をなす金属筺体内に回路が収納された本体１０ａと、本体１０ａの一側面から列状に突出して取り付けられた複数の端子１０ｂ（１０ｂ１〜１０ｂ８）とを有している。
【００１１】
端子１０ｂは、現在では所定の間隔毎の位置に合計二十数箇所取り付けられるように標準化されているが、実際には個々のテレビジョンチューナに必要な数の端子（図１の例では８個の端子）が取り付けられる。そのため、隣接する端子間が２間隔以上空く場合もある。そして、各端子１０ｂは本体１０ａの内部に構成された個々の回路に接続されている。
【００１２】
マザー基板１には上記の所定の間隔毎に対応して透孔２（第一の透孔２ａ１〜２ａ３、第二の透孔２ｂ１〜２ｂ３、第三の透孔２ｃ１〜２ｃ５）が列状に設けられる。第一の透孔２ａ１〜２ａ３は列状の端側に位置し、第二の透孔２ｂ１〜２ｂ３には特定チューナ１０の端子１０ｂが挿入されない。第三の透孔２ｃ１〜２ｃ５は端子１０ｂが挿入されるが第一の透孔２ａ以外の透孔である。
【００１３】
そして、第一の透孔２ａの周囲には第一の導体ランド３ａ（３ａ１〜３ａ３）が形成され、第二の透孔２ｂの周囲には第二の導体ランド３ｂ（３ｂ１〜３ｂ３）が形成され、第三の透孔２ｃの周囲には第三の導体ランド３ｃ（３ｃ１〜３ｃ５）が形成される。
【００１４】
チューナ１０はマザー基板１の裏面側に搭載されると共に、端子１０ｂは透孔２から手前方向に突出するように挿入される。これによって列状の端に位置する第一の端子１０ｂ６〜１０ｂ８がそれぞれ第一の透孔２ａ１〜２ａ３に挿入されると共に、対応する第一の導体ランド３ａ１〜３ａ３に半田接続される。第一の端子１０ｂ６〜１０ｂ８以外の第三の端子１０ｂ１〜１０ｂ５はそれぞれ第三の透孔２ｃ１〜２ｃ５に挿入されると共に、対応する第三の導体ランド３ｃ１〜３ｃ５に半田接続される。
【００１５】
また、マザー基板１上には所定の回路４が構成されており、端子１０ｂに接続される第一の導体ランド３ａ１〜３ａ３、第三の導体ランド３ｃ１〜３ｃ５が配線導体５（５−１〜５−８）によって所定の回路４中の対応するものに接続される。また、これらの導体ランド３のうち、列状の最も端側の第一の透孔２ａ１〜２ａ３に対応する第一の導体ランド３ａ１〜３ａ３は配線導体６（６−１〜６−３）によって第二の導体ランド３ｂ１〜３ｂ３に接続される。
【００１６】
以上のように構成することで、図２に示すような、第一の透孔２ａ１〜２ａ３の位置に対応する端子を有せず、代わりに第二の透孔２ｂ１〜２ｂ３の位置に端子を有する他のチューナ２０を使用する場合は、その端子２０ｂ１〜２０ｂ８を透孔２ｃ１〜２ｃ３、２ｂ１、２ｃ４、２ｃ５、２ｂ２、２ｂ３に対応して挿入し、それぞれの導体ランド３に半田接続する。この結果、例えば、他のチューナ２０の端子２０ｂ４は導体ランド３ｂ１、配線導体６−３、導体ランド３ａ３、配線導体５−８を順に介して所定回路４に接続される。
【００１７】
従って、他のチューナ２０の端子２０ｂを特定チューナ１０の空き端子の位置に対応した位置に適宜に設けることで、マザー基板１はそのままで特定のチューナ１０と他のチューナ２０とに共用できる。
また、この場合は、他のチューナ２０は第一の透孔２ａを使用しないので、特定のチューナ１０よりも小型化したものが使用出来る。
【００１８】
また、図３はマザー基板１における導体ランド３間の他の接続関係を回路で示したものである。ここでは、第一の導体ランド３ａの一つ３ａ１を第二の導体ランド３ｂの一つ３ｂ３に接続し、第一の導体ランド３ａの他の二つ３ａ２、３ａ３をそれぞれスイッチダイオード等からなる第一の開閉手段７−１、７−２を介して第三の導体ランド３ｃ５、３ｃ４に接続し、さらに、その第三の導体ランド３ｃ５、３ｃ４をスイッチダイオード等からなる第二の開閉手段８−１、８−２を介して所定の回路４に接続する。
【００１９】
そして、特定チューナ１０を使用するときには第一の開閉手段７−１、７−２を開いて第二の開閉手段８−１、８−２を閉じる。そうすれば特定のチューナ１０がそのまま使用できる。また、他のチューナ２０を使用するときには、第一の開閉手段７−１、７−２を閉じて第二の開閉手段８−１、８−２を開く。この結果、他のチューナ２０の端子２０ｂ５、２０ｂ６はそれぞれ導体ランド３ｃ４、３ｃ５と導体ランド３ａ３、３ａ２を介して所定の回路４に接続される。従って、異なるチューナ間の同じ取り付け位置に対応する端子の機能が異なっていても同一の透孔とその導体ランドを共用出来る。
【００２０】
【発明の効果】
以上説明したように、本発明では、テレビジョンチューナの内部回路に接続された端子に接続される所定の回路が構成され、列状に穿設されて端子を挿入する透孔と、透孔の周囲に形成され、端子に接続される導体ランドとを有し、導体ランドのうち、搭載される特定のテレビジョンチューナの端子に接続される第一の導体ランドを所定の回路に接続すると共に、特定のテレビジョンチューナの端子に接続されない第二の導体ランドに接続したので、端子配列の異なる他のテレビジョンチューナの端子を特定のテレビジョンチューナの空き端子の位置に対応した位置に適宜に設けることで、マザー基板はそのままで特定のテレビジョンチューナと他のテレビジョンチューナとに共用できる。
【００２１】
また、テレビジョンチューナが搭載され、導体ランドのうち、搭載される特定のテレビジョンチューナの端子に接続される第一の導体ランドを所定の回路に接続すると共に、特定のテレビジョンチューナの端子に接続される第三の導体ランドに第一の開閉手段を介して接続し、第三の導体ランドを第二の開閉手段を介して所定の回路に接続し、第一の開閉手段と第二の開閉手段との開閉動作を互いに逆にしたので、特定のテレビジョンチューナを使用するときには第一の開閉手段を開いて第二の開閉手段８−１、８−２を閉じると、特定のテレビジョンチューナがそのまま使用できる。また、他のテレビジョンチューナを使用するときには、第一の開閉手段を閉じて第二の開閉手段を開くことで、他のテレビジョンチューナの端子はそれぞれ特定のテレビジョンチューナの端子に接続される導体ランドを介して所定の回路に接続される。従って、異なるテレビジョンチューナ間の同じ取り付け位置に対応する端子の機能が異なっていても同一の透孔とその導体ランドを共用出来る。
【００２２】
また、第一の導体ランドに対応する透孔を少なくとも列状の端側に連続して複数個位置させることで、他のテレビジョンチューナは第一の透孔を使用しないので、特定のテレビジョンチューナよりも小型化したものが使用出来る。
【図面の簡単な説明】
【図１】本発明の映像機器のチューナ取付用基板を説明するための分解斜視図である。
【図２】本発明の映像機器のチューナ取付用基板に搭載する他のテレビジョンチューナの斜視図である。
【図３】本発明の映像機器のチューナ取付用基板を説明するための回路図である。
【図４】従来の映像機器のチューナ取付用基板を説明するための分解斜視図である。
【符号の説明】
１  マザー基板
２  透孔
２ａ  第一の透孔
２ｂ  第二の透孔
２ｃ  第三の透孔
３  導体ランド
３ａ  第一の導体ランド
３ｂ  第二の導体ランド
３ｃ  第三の導体ランド
４  所定の回路
５、６  配線導体
７  第一の開閉手段
８  第二の開閉手段
１０  特定のテレビジョンチューナ
１０ａ  本体
１０ｂ  端子
２０  他のテレビジョンチューナ
２０ｂ  端子
【図１】
0003729254.tif 000002
【図２】
0003729254.tif 000003
【図３】
0003729254.tif 000004
【図４】
0003729254.tif 000005